(57)【要約】    【課題】套管の軽量化、スリム化、縮小化、套管種類の共通化および作業工程の簡略化を図る。    【解決手段】ポリマー套管は、下端部に導体挿入孔１ａを有する導体引出棒１と、導体引出棒１の外周に設けられる硬質の絶縁筒２と、絶縁筒２の外周に設けられるポリマー被覆体３と、絶縁筒２とポリマー被覆体３との界面に設けられる電界緩和層とを備えている。  絶縁筒２は、導体引出棒１の下方部位の外周部に設けられる大径絶縁筒２ａと、導体引出棒１の先端部を除く部分の外周部に設けられる小径絶縁筒２ｂとを備えており、大径絶縁筒２ａと小径絶縁筒２ｂの連設部分には電界緩和用の埋込金具４が埋設されている。また、大径絶縁筒２ａの下端部にはケーブル端末部１１のストレスコーン１３を受容するコーン状の受容口５が設けられており、この受容口５は導体引出棒１の導体挿入孔１ａと連通されている。【選択図】図１
2005117806.tif 000002
【特許請求の範囲】
【請求項１】
中心に導体引出棒を有し、下端部にケーブル端末の受容口を有する硬質の絶縁筒と、
前記絶縁筒の外周に設けられ、それ自身の外周に多数の襞部が長手方向に離間して形成されたポリマー被覆体とを備えるポリマー套管において、
前記絶縁筒と前記ポリマー被覆体との界面には、電界緩和層が設けられていることを特徴とするポリマー套管。
【請求項２】
中心に導体引出棒を有し、下端部にケーブル端末の受容口を有する硬質の絶縁筒と、
前記絶縁筒の外周に設けられ、それ自身の外周に多数の襞部が長手方向に離間して形成されたポリマー被覆体とを備えるポリマー套管において、
前記受容口は、前記ポリマー被覆体よりも下方部位に配設され、
前記絶縁筒と前記ポリマー被覆体との界面には、電界緩和層が設けられていることを特徴とするポリマー套管。
【請求項３】
前記導体引出棒の下端部に前記受容口と連通する導体挿入孔が設けられ、
前記導体挿入孔は、前記ポリマー被覆体よりも下方部位に配設されていることを特徴とする請求項１または請求項２記載のポリマー套管。
【請求項４】
中心に導体引出棒を有し、下端部にケーブル端末の受容口を有する硬質の絶縁筒と、
前記絶縁筒の外周に設けられ、それ自身の外周に多数の襞部が長手方向に離間して形成されたポリマー被覆体とを備えるポリマー套管において、
前記絶縁筒の下方部位には、環状の金具が前記導体引出棒と同心的に配設されており、
前記ポリマー被覆体は、前記金具よりも上方部位に配設され、
前記受容口は、前記金具よりも下方部位に配設され、
前記電界緩和層は、前記金具の上端部から前記導体引出棒の先端部に跨って設けられていることを特徴とするポリマー套管。
【請求項５】
前記金具は、前記絶縁筒の下方部位に埋設されて固定された電界緩和用の埋込金具で構成されていることを特徴とする請求項４記載のポリマー套管。
【請求項６】
前記電界緩和層は、酸化亜鉛層または高誘電率層で構成されていることを特徴とする請求項１乃至請求項５の何れか１項記載のポリマー套管。
ポリマー套管。
【請求項７】
前記導体引出棒の外周に前記絶縁筒が一体的に設けられていることを特徴とする請求項１乃至請求項６の何れか１項記載のポリマー套管。
【請求項８】
請求項１乃至請求項７の何れか１項記載のポリマー套管には、曲がり部が設けられていることを特徴とするポリマー套管。
【請求項９】
請求項１乃至請求項８の何れか１項記載のポリマー套管の受容口にケーブル端末部が装着されていることを特徴とするケーブル終端接続部。
【発明の詳細な説明】
【技術分野】
【０００１】
この発明は、ポリマー套管およびこれを用いたケーブル終端接続部に係わり、特に、構造の簡素化、軽量、小型、短尺化および現地施工の簡略化を図ることができ、また、絶縁油や絶縁ガスなどの絶縁コンパウンドの充填を必要とせず、さらに天井が低い変電所等に布設する場合に好適するポリマー套管およびこれを用いたケーブル終端接続部に関する。
【背景技術】
【０００２】
従来、この種のケーブル終端接続部としては、図８に示すような構成のものが知られている。同図において、従来のケーブル終端接続部は、ケーブル端末部２０と、このケーブル端末部２０を包被する磁器套管２１とを備えており、この磁器套管２１内には、絶縁油や絶縁ガスなどの絶縁コンパウンド２２が充填されている。
【０００３】
ここで、磁器碍管２１の底部には、環状の底部金具２３が取り付けられ、磁器碍管２１内の下方部には、エポキシ座２４が磁器碍管２１と同心状に配設されている。また、磁器碍管２１の頂部には、上部金具２４および上部覆２５がそれぞれ配設され、磁器碍管２１内の上部中心部には導体引出棒２６が磁器碍管２１と同心状に配設されている。なお、導体引出棒２６の下端部は磁器碍管２１内に位置し、先端部は上部金具２４および上部覆２５の中央部から上方に向けて気密に導出されている。
【０００４】
また、ケーブル端末部２０を構成するケーブル絶縁体２７の外周にはストレスコーン２８が装着され、また、ケーブル導体（不図示）の先端部には導体端子２９が取り付けられている。なお、図中、符号３０はストレスコーン２８を押圧する押圧装置、３１ａ、３１ｂはシール部、３２は締付金具、３３は支持碍子、３４は支持架台を示している。
【０００５】
このような構成のケーブル終端接続部においては、磁器碍管２１内に位置する導体引出棒２６の下端部に導体端子２９が接続され、また、エポキシ座２４の内壁面にストレスコーン２８の外表面が圧接されている。
【０００６】
しかしながら、このような構成のケーブル終端接続部においては、導体端子２９と導体引出棒２６との接続点が磁器碍管２１の内部に存在するため、次のような難点があった。
【０００７】
第１に、ストレスコーンを受容するエポキシ座が磁器碍管内に存在するため、これに応じて磁器碍管が太くなり、ひいては、磁器碍管の重量が重くなるという難点があった。
【０００８】
第２に、磁器碍管の外径が太くなると、磁器碍管の投影断面積が大きくなり、ひいては磁器碍管の汚損耐電圧特性が低下することから、所定の汚損耐電圧特性を維持するためには、長尺の磁器碍管を使用しなければならないという難点があった。
【０００９】
第３に、磁器碍管内に絶縁コンパウンドが充填されていることから、磁器碍管が破損すると、磁器碍管内から絶縁コンパウンドが流出し二次災害を起こす虞があった。
【００１０】
第４に、エポキシ座、上部覆、締付金具などの部品が必要となるから、部品点数が多くなり、また、構造が複雑になるという難点があった。
【００１１】
このため、（イ）図８に示す磁器碍管２１に代えて、ポリマー套管を使用し、当該ポリマー套管内に絶縁油や絶縁ガスを充填して成るケーブル終端接続部や（ロ）図９に示すように、中心に配設される導体引出棒４２と、導体引出棒４２の外周に配設される硬質の絶縁筒４３と、絶縁筒４３の外周に一体的に設けられるポリマー被覆体４４とを備えるポリマー套管４１の受容口４６にケーブル端末部４０を装着して成るケーブル終端接続部が開発されている。
【００１２】
しかしながら、（イ）のケーブル終端接続部においては、套管が高分子材料のポリマーで形成されているため、外部から水分が透過しこの水分がポリマー套管内の絶縁油や絶縁ガスに混入して当該絶縁油や絶縁ガスの性能を劣化させる虞があった。また、（ロ）のケーブル終端接続部においては、ポリマー套管４１内にストレスコーンを受容するエポキシ座が存在せず、ポリマー套管４１内に絶縁コンパウンドを充填する必要がないことから、ポリマー套管４１の構造の簡素化および軽量化を図ることができる上、各部をユニット化して現地に搬入することができ、さらに現地施工時間の短縮化を図ることができるという利点を備えているものの、ケーブル端末部４０のケーブル導体４５と導体引出棒４２との接続点がポリマー套管４１内に存在するため、前述の磁器碍管と同様に、ポリマー套管４１の外径が太くなり、ポリマー套管の重量が重くなるという難点があり、また、ポリマー套管４１が太くなると、ポリマー套管４１の投影断面積が大きくなり、ひいては汚損耐電圧特性の向上を図るために、長尺のポリマー套管を使用しなければならないという難点があった。
【００１３】
このため、本出願人は、先に、図１０に示すように、中心に導体引出棒５１を有し、下端部にケーブル端末の受容口５２を有する硬質の絶縁筒５３と、絶縁筒５３の外周に一体的に設けられ、それ自身の外周に多数の襞部５４が長手方向に離間して形成されたポリマー被覆体５５とを備え、受容口５２がポリマー被覆体５５よりも下方部位に配設されて成るポリマー套管５６を開発し、出願している（特願２００２−１０５４３２）。
【００１４】
このような構成のポリマー套管５６によれば、第１に、硬質の絶縁筒の外周にポリマー被覆体が一体的に設けられていることから、従来の磁器碍管よりも、軽量で、破損しにくく、また、取扱いが容易になり、作業性を大幅に向上させることができ、第２に、絶縁油や絶縁ガスを必要としないことから、環境の調和を図ることができ、第３に、ポリマー被覆体をシリコンポリマーで形成した場合においては、シリコンポリマーの撥水性により、汚損耐電圧特性を向上させることができ、第４に、絶縁筒の受容口がポリマー被覆体よりも下方部位に配設されていることから、従来のポリマー套管よりも細くすることができ、さらに、ポリマー套管が細くなる結果、ポリマー套管の投影断面積が小さくなり、ひいては短尺のポリマー套管でも所定の汚損耐電圧特性を維持することができ、第５に、導体引出棒とケーブル導体との接続がポリマー被覆体よりも下方部位で行なわれることから、ケーブル端末部の段剥処理部の長さを短くでき、第６に、ポリマー套管中に埋込金具が埋設され、この埋込金具が底部金具と一体化されていることから、ポリマー套管を機械的に補強することができるとともに、ポリマー套管を底部金具を介して取付架台などに容易にかつ安定して取り付けることができるという利点を備えている。
【００１５】
しかしながら、このような構成のポリマー套管５５においては、次のような難点があった。
【００１６】
第１に、ポリマー套管５５の厚さは、エポキシ等の絶縁筒５３の許容電界よりもポリマー套管５５の外表面の電界で決定され、このため、ケーブル終端接続部の使用電圧が高電圧化するに伴い、絶縁筒５３の絶縁体厚さが厚くなり、ひいてはポリマー套管５５が重くなる。
【００１７】
第２に、ケーブル終端接続部の使用電圧が高電圧化するに伴い、ポリマー套管５５が長尺化し、ひいてはポリマー套管５５の重量化と相俟って取付工事における取り扱いが困難になる。
【００１８】
【特許文献１】特開平１１−２０３９７０号公報
【発明の開示】
【発明が解決しようとする課題】
【００１９】
本発明は、上述の難点を解決するためになされたもので、軽量化、スリム化、縮小化、套管種類の共通化および作業工程の簡略化を図り、また自由な形態で設置することができるポリマー套管およびこれを用いたケーブル終端接続部を提供することを目的としている。
【課題を解決するための手段】
【００２０】
本発明の第１の態様であるポリマー套管は、中心に導体引出棒を有し、下端部にケーブル端末の受容口を有する硬質の絶縁筒と、絶縁筒の外周に設けられ、それ自身の外周に多数の襞部が長手方向に離間して形成されたポリマー被覆体とを備えるポリマー套管において、絶縁筒とポリマー被覆体との界面には、電界緩和層が設けられているものである。
【００２１】
本発明の第２の態様であるポリマー套管は、中心に導体引出棒を有し、下端部にケーブル端末の受容口を有する硬質の絶縁筒と、絶縁筒の外周に設けられ、それ自身の外周に多数の襞部が長手方向に離間して形成されたポリマー被覆体とを備えるポリマー套管において、受容口は、ポリマー被覆体よりも下方部位に配設され、絶縁筒とポリマー被覆体との界面には、電界緩和層が設けられているものである。
【００２２】
本発明の第３の態様は、第１または第２の各態様のポリマー套管において、導体引出棒の下端部に受容口と連通する導体挿入孔が設けられ、導体挿入孔は、ポリマー被覆体よりも下方部位に配設されているものである。
【００２３】
本発明の第４の態様であるポリマー套管は、中心に導体引出棒を有し、下端部にケーブル端末の受容口を有する硬質の絶縁筒と、絶縁筒の外周に設けられ、それ自身の外周に多数の襞部が長手方向に離間して形成されたポリマー被覆体とを備えるポリマー套管において、絶縁筒の下方部位には、環状の金具が導体引出棒と同心的に配設されており、ポリマー被覆体は、金具よりも上方部位に配設され、受容口は、金具よりも下方部位に配設され、電界緩和層は、金具の上端部から導体引出棒の先端部に跨って設けられているものである。
【００２４】
本発明の第５の態様は、第４の態様のポリマー套管において、金具は、絶縁筒の下方部位に埋設されて固定された電界緩和用の埋込金具で構成されているものである。
【００２５】
本発明の第６の態様は、第１乃至第５の各態様のポリマー套管において、電界緩和層は、酸化亜鉛層または高誘電率層で構成されているものである。
【００２６】
本発明の第７の態様は、第１乃至第６の各態様のポリマー套管において、導体引出棒の外周に絶縁筒が一体的に設けられているものである。
【００２７】
本発明の第８の態様は、第１乃至第７の各態様のポリマー套管において、その中間部に曲がり部が設けられているものである。
【００２８】
本発明の第９の態様であるケーブル終端接続部は、第１乃至第８の各態様のポリマー套管の受容口にケーブル端末部が装着されているものである。
【発明の効果】
【００２９】
本発明の第１乃至第８の各態様のポリマー套管および第９の各態様のケーブル終端接続部によれば、次のような効果がある。
【００３０】
第１に、絶縁筒とポリマー被覆体との界面に設けられた電界緩和層により、ポリマー套管の表面電界が緩和されることから、絶縁筒の厚さを薄くすることができ、ひいては従来の図１０に示すポリマー套管よりも、軽量化およびスリム化を図ることができる。
【００３１】
第２に、ポリマー套管の表面電界が緩和されることで、套管長の縮小化を図ることができる。
【００３２】
第３に、超高圧ケーブルに対して、軽量化およびスリムした気中終端接続部を用いることで、付帯工事の低減を図ることができる。
【００３３】
第４に、絶縁筒の受容口をポリマー被覆体よりも下方部位に配設した場合においては、従来の図１０に示すポリマー套管と同様に、套管種類の共通化や作業工程の簡略化を図ることができ、また、ポリマー套管を自由な形態で設置することができる。
【００３４】
第５に、ポリマー套管中に埋込金具が埋設され、この埋込金具が底部金具と一体化されていることから、ポリマー套管を機械的に補強することができるとともに、ポリマー套管を底部金具を介して取付架台などに容易にかつ安定して取り付けることができる。
【００３５】
第６に、ポリマー套管の中間部に曲がり部を設けた場合においては、当該ポリマー套管を天井の低い変電所等に設置しても離隔距離を十分確保することができる。
【発明を実施するための最良の形態】
【００３６】
以下、本発明のポリマー套管およびこれを用いたケーブル終端接続部の好ましい実施の形態例について、図面を参照して説明する。ここで、図１は、本発明のポリマー套管を用いた２２〜７７ｋＶ級ＣＶケーブルの気中終端接続部の一部断面図を示している。
【００３７】
図１において、本発明のポリマー套管Ｐは、中心に配設され、下端部に導体挿入孔１ａを有する導体引出棒１と、導体引出棒１の外周に設けられる硬質の絶縁筒２と、絶縁筒２の外周に設けられる電界緩和層ＳＲと、電界緩和層ＳＲの外周に設けられるポリマー被覆体３とを備えている。ここで、絶縁筒２は、機械的強度の高い材料、例えばエポキシ樹脂やＦＲＰなどの硬質プラスチック樹脂で、電界緩和層ＳＲは、例えばエラストマー材料に亜鉛酸化粉末を充填したＺｎＯ層やカーボンブラック等の導電性フィラーを充填したゴム等の比誘電率が１０以上の高誘電率層で、ポリマー被覆体３は、電気絶縁性能に優れる材料、例えばシリコンポリマーなどの高分子絶縁材料でそれぞれ形成されている。これらの導体引出棒１、絶縁筒２、電界緩和層ＳＲおよびポリマー被覆体３はモールドにより一体的に形成されている。
【００３８】
絶縁筒２は、導体引出棒１の下方部位の外周部、すなわち導体挿入孔１ａと対応する部分の外周部に設けられる大径絶縁筒２ａと、この大径絶縁筒２ａの上部に連設され、導体引出棒１の先端部を除く部分の外周部に設けられる小径絶縁筒２ｂとを備えており、大径絶縁筒２ａと小径絶縁筒２ｂの連設部分には電界緩和用の埋込金具４が埋設されている。また、大径絶縁筒２ａの下端部には後述するケーブル端末部のストレスコーンを受容するコーン状の受容口５が設けられており、この受容口５は導体引出棒１の導体挿入孔１ａと連通されている。ここで、この実施例においては、導体挿入孔１ａと対応する部分を小径絶縁筒２ｂよりも大径化しているが、この部分を小径絶縁筒２ｂと同径にしてもよい。
【００３９】
ポリマー被覆体３は、小径絶縁筒２ｂの外周部に設けられ、その外周部には、多数個の襞部３ａがポリマー被覆体３の長手方向に沿って離間して形成されている。
【００４０】
埋込金具４は、小径絶縁筒２ｂの下方部に導体引出棒１と同心状に埋設される円錐状の湾曲部４ａと、湾曲部４ａの下端部に連設され外周縁部が大径絶縁筒２ａの上部位置の外周部から水平に延出する如く埋設される環状のフランジ部４ｂとを備えており、フランジ部４ｂの外周縁部の下端面には環状の底部金具６が締付ボルトＢを介して固定されている。ここで、埋込金具４を構成する湾曲部４ａは、その外径がポリマー被覆体３の外径と略同径とされ、内径が電界緩和層ＳＲの内径より若干小径とされている。また、電界緩和層ＳＲの下端部は湾曲部４ａの上端部に電気的に接触し、上端部は導体引出棒１の上端部に電気的に接触している。なお、図中、符号８は、大径絶縁筒２ａの外周部に配設され、上端部が埋込金具４のフランジ部４ｂの下面に取り付けられる保護金具を示している。
【００４１】
次に、本発明のポリマー套管を用いたケーブル終端接続部について説明する。
【００４２】
図１において、先ず、ポリマー套管Ｐを底部金具６の下面に配設した支持碍子９を介して支持架台１０に取り付ける。また、従来のケーブル端末部と同様に、ケーブル端末を段剥処理して露出させたケーブル絶縁体１１ａの外周にストレスコーン１２を装着するとともに、ケーブル導体１１ｂの先端部に導体端子１３を取り付ける。ここで、ストレスコーン１２は、エチレンプロピレンゴム（ＥＰゴム）等のゴム状弾性を有するプレモールド絶縁体などから成り、このストレスコーン１２の先端部には受容口５の内壁面に装着される先細り状のコーン状部が設けられている。
【００４３】
このような構成のケーブル端末部１１をポリマー套管Ｐの受容口５に装着し、予めケーブル端末部側に配設した押し金具１４を受容口５側に向けて圧縮する。これにより、導体端子１３が導体引出棒１の導体挿入孔１ａにプラグイン接続されるとともに、ストレスコーン１２のコーン状部が受容口５の内壁面に押し付けられ、ひいては、受容口５の内壁面とコーン状部の外周面間における界面の絶縁性能が確保される。
【００４４】
なお、図中、符号１５はシール部、１６は押し金具フランジ、１７は接地線、１８はスプリング、１９は保護金具を示している。
【００４５】
図２は、図１０に示す従来のケーブル終端接続部における電界解析図、図３は、本発明のケーブル終端接続部における電界解析図を示している。
【００４６】
図２において、電界緩和層ＳＲを有しない従来のケーブル終端接続部においては、ポリマー套管Ｐの外表面における電界が遮蔽電極（埋込金具４）の近傍において不均一化し、電界が集中していることが判る。ここで、このようなポリマー套管の外表面における電位分布が不均一なケーブル終端接続部においては、次のような難点がある。すなわち、一般的にエポキシ樹脂やシリコンゴム等の絶縁体はそれ自体で十分な絶縁性能を有しており、それ自体で電界強度上支障を生じないものである。しかしながら、電界が高くなるとポリマー套管の外表面においてコロナ放電を生じ、かかるコロナ放電が長期間にわたって生じた場合には、ポリマー被覆体を構成するシリコンゴムが化学的な侵食を受け、劣化（エロージョン）することになる。そして、このようなコロナ放電の発生を防止するためには、ポリマー套管の気中表面における電界強度を下げる必要があり、このため、従来のケーブル終端接続部においては、絶縁筒を太くすることで対応していた。すなわち、絶縁筒は円形断面を呈しており、当該円形断面では電界分布が放射状となることから、絶縁筒を太くすれば、絶縁筒の太さに略反比例して絶縁筒の表面の電界を下げることができる。
【００４７】
しかしながら、絶縁筒を太くすると、気中終端の表面積の増加により、塩害特性の低下を招き、また、ポリマー套管が大型化し、より多くの絶縁材料を要することになり、ひいてはケーブル終端接続部が重くなり、コストアップになるという難点がある。
【００４８】
一方、電界緩和層ＳＲを有する本発明のケーブル終端接続部においては、図３に示すように、ポリマー套管Ｐの外表面における電界が遮蔽電極（埋込金具４）の近傍において均一化され、電界の集中が緩和されていることが判る。このように、絶縁筒２とポリマー被覆体３との界面に電界緩和層ＳＲを設けた本発明のケーブル終端接続部によれば、ポリマー套管Ｐの表面の電界が緩和されることから、従来の図１０に示すケーブル終端接続部よりも、絶縁筒の絶縁厚さを薄くすることができ、ひいては、軽量化およびスリム化を図ることができる。また、ポリマー套管Ｐの表面電界が緩和することで、ポリマー套管Ｐの長さを縮小することができ、ひいては、套管の軽量化と相俟って図１０に示すケーブル終端接続部よりも、その据付工事を容易に行なうことができる。さらに、超高圧ケーブルに対して、軽量、小型化した気中終端接続部を用いることができ、ひいては付帯工事の低減等を図ることができる。
【００４９】
図４〜図７は、本発明のケーブル終端接続部の他の実施例を示している。なお、同図において、図１と共通する部分には同一の符号を付して詳細な説明を省略する。
【００５０】
図４に示す実施例においては、ポリマー套管Ｐにおけるケーブル端末部１１のストレスコーン１２を受容するコーン状の受容口５´が水平方向に向けて折曲されている。この実施例によれば、ケーブル端末部１１を水平方向から装着することができる。
【００５１】
図５に示す実施例においては、ポリマー套管Ｐの中間部にＬ字状の曲がり部Ｌが設けられている。
【００５２】
図５に示すような曲がり部Ｌを有するポリマー套管Ｐは、天井の低い変電所等に設置すれば、変電所等の天井が低くても、天井とポリマー套管Ｐの充電部間の離隔距離を十分確保することができる。
【００５３】
図６に示す実施例においては、図４に示す実施例と同様に、ポリマー套管Ｐにおけるケーブル端末部１１のストレスコーン１２を受容するコーン状の受容口５´が水平方向に向けて折曲されており、また、ポリマー套管Ｐの中間部にはＬ字状の曲がり部Ｌが設けられている。
【００５４】
この実施例によれば、ケーブル端末部１１を水平方向から装着することができ、また、天井の低い変電所等に設置しても、天井とポリマー套管Ｐの充電部間の離隔距離を十分確保することができる。
【００５５】
図７に示す実施例においては、ポリマー套管Ｐ´の中間部に１００度〜１５０度程度の鈍角を呈するように折曲された曲がり部Ｌ´が設けられている。
【産業上の利用可能性】
【００５６】
前述の実施例においては、図面に示した特定の実施の形態をもって本発明を説明しているが、本発明はこれらの実施の形態に限定されるものではなく、本発明の効果を奏する限り、次のようにしてもよい。
【００５７】
第１に、ポリマー套管は、その中間部に略Ｌ字状の折曲部を設けたものに限定されず、半円状の折曲部を設けたものでもよい。
【００５８】
第２に、導体引出棒の外周に設けられる絶縁筒は、導体引出棒と別体で設けてもよい
【００５９】
第３に、ケーブル端末の受容口は下方若しくは水平方向に向けるものに限定されず、例えば斜めに向けて形成してもよい。
【００６０】
第４に、ケーブル終端接続部は、気中終端接続部に限定されず、ガス・油中終端接続部などに適用してもよい。
【図面の簡単な説明】
【００６１】
【図１】本発明のケーブル終端接続部の一部断面図。
【図２】従来のケーブル終端接続部における電界解析図。
【図３】本発明のケーブル終端接続部における電界解析図。
【図４】本発明の他の実施例に係るケーブル終端接続部の一部断面図。
【図５】本発明の他の実施例に係るケーブル終端接続部の一部断面図。
【図６】本発明の他の実施例に係るケーブル終端接続部の一部断面図。
【図７】本発明の他の実施例に係るケーブル終端接続部の一部断面図。
【図８】従来のケーブル終端接続部の一部断面図。
【図９】従来のケーブル終端接続部の一部断面図。
【図１０】従来のケーブル終端接続部の説明図。
【符号の説明】
【００６２】
１・・・導体引出棒
１ａ・・・導体挿入孔
２・・・絶縁筒
３・・・ポリマー被覆体
３ａ・・・襞部
５・・・受容口
１１・・・ケーブル端末
ＳＲ・・・電界緩和管
Ｐ・・・ポリマー套管
Ｌ・・・曲がり部
【図１】
2005117806.tif 000003
【図２】
2005117806.tif 000004
【図３】
2005117806.tif 000005
【図４】
2005117806.tif 000006
【図５】
2005117806.tif 000007
【図６】
2005117806.tif 000008
【図７】
2005117806.tif 000009
【図８】
2005117806.tif 000010
【図９】
2005117806.tif 000011
【図１０】
2005117806.tif 000012